(57)【要約】【課題】医療従事者によって手指衛生が行われた回数をより正確に把握することができるようにする。【解決手段】消毒用ボトル１０に設けられた吐出操作検出装置１００から中継装置３００を介して管理装置４００に送信される情報と、医療従事者により携帯された無線送信装置２００から中継装置３００を介して管理装置４００に送信される情報とに基づいて、消毒用ボトル１０を操作した医療従事者を特定した上で、医療従事者ごとに手指衛生の実行回数を測定する。そして、その実行回数の測定の際に、同じ医療従事者による消毒用ボトル１０の操作が所定時間以内に複数回検出された場合には、１人の医療従事者が１回の手指衛生において吐出操作を複数回に分けて行った蓋然性が高いものとして、当該所定時間以内の複数回の操作を手指衛生の１回の実行とみなして実行回数を測定するようにする。【選択図】図１
2020071609.tif 000002
【特許請求の範囲】
【請求項１】
消毒液を吐出する消毒用容器に設けられ、当該消毒用容器に対する吐出操作が行われたことを検出して操作実行情報を自身の識別情報である検出装置ＩＤと共に送信する吐出操作検出装置と、
医療従事者により携帯され、当該医療従事者の識別情報である医療従事者ＩＤを定期的に送信する無線送信装置と、
上記吐出操作検出装置から上記操作実行情報および上記検出装置ＩＤを受信するとともに、上記無線送信装置から上記医療従事者ＩＤを受信し、通信ネットワークを介して接続された管理装置に対して上記受信した情報を自身の識別情報である中継装置ＩＤと共に送信する中継装置と、
上記中継装置から同じ中継装置ＩＤと共に所定の微小時間以内に受信される上記操作実行情報、上記検出装置ＩＤおよび上記医療従事者ＩＤに基づいて、上記消毒用容器を操作した医療従事者を特定した上で、医療従事者による手指衛生の実行状況に関する管理を行う管理装置とを備え、
上記管理装置は、上記中継装置から送信された情報に基づいて、医療従事者ごとに手指衛生の実行回数を測定する実行回数測定部を備え、当該実行回数測定部は、同じ医療従事者による上記消毒用容器の操作が所定時間以内に複数回検出された場合に、当該所定時間以内の複数回の操作を手指衛生の１回の実行とみなして実行回数を測定することを特徴とする手指衛生管理システム。
【請求項２】
上記中継装置は、上記吐出操作検出装置から上記操作実行情報および上記検出装置ＩＤを受信する際の受信電波に基づいて上記吐出操作検出装置の相対位置を特定し、上記吐出操作検出装置の相対位置情報を上記操作実行情報、上記検出装置ＩＤおよび上記中継装置ＩＤと共に送信し、また、上記無線送信装置から上記医療従事者ＩＤを受信する際の受信電波に基づいて上記無線送信装置の相対位置を特定し、上記無線送信装置の相対位置情報を上記医療従事者ＩＤおよび上記中継装置ＩＤと共に送信し、
上記実行回数測定部は、上記中継装置から同じ中継装置ＩＤと共に上記所定の微小時間以内に受信される上記操作実行情報、上記検出装置ＩＤ、上記医療従事者ＩＤ、上記吐出操作検出装置の相対位置情報および上記無線送信装置の相対位置情報に基づいて、上記消毒用容器を操作した医療従事者を特定した上で、医療従事者による手指衛生の実行回数を測定することを特徴とする請求項１に記載の手指衛生管理システム。
【請求項３】
上記実行回数測定部は、上記同じ医療従事者による上記消毒用容器の操作が上記所定時間を超えて２回検出された場合に、当該所定時間を超えた２回の操作を、上記同じ医療従事者による手指衛生の２回の実行とみなして、医療従事者による手指衛生の実行回数を測定することを特徴とする請求項１または２に記載の手指衛生管理システム。
【請求項４】
上記実行回数測定部は、同じ中継装置ＩＤに関連して検出される上記手指衛生の２回の実行を、上記中継装置ＩＤで示される中継装置が設置されている部屋に対する上記同じ医療従事者の入室時における手指衛生の実行および退室時における手指衛生の実行として、医療従事者による手指衛生の実行回数を測定することを特徴とする請求項３に記載の手指衛生管理システム。
【発明の詳細な説明】
【技術分野】
【０００１】
本発明は、手指衛生管理システムに関し、特に、消毒液を吐出する消毒用容器に対する吐出操作が行われたことを検出して、医療従事者による手指衛生の実行状況に関する管理を行う手指衛生管理システムに用いて好適なものである。
【背景技術】
【０００２】
ＷＨＯは医療関連感染の中で、医療従事者の手指が媒体となって病原体の感染伝播が発生する５段階について警鐘を鳴らし、ガイドラインを通じて、石鹸と流水による手洗いや、アルコール消毒薬による手指消毒といった手指衛生の励行を推奨している。しかし、医療従事者の手指衛生実施率が５０％にすら満たない医療機関も多く、その遵守率（コンプライアンス）は高くない。
【０００３】
そのため、医療従事者が必要なタイミングで手指衛生を実行しているかどうかの実態をセンシングし、その結果を現場にフィードバックすることにより、手指衛生の遵守率向上に努めることが求められている。このような背景のもと、従来、消毒液を吐出する消毒用ボトルに対する吐出操作が行われたことを検出して所定の情報を送信することにより、当該情報に基づいて医療従事者による消毒実績を管理するシステムが提案されている（例えば、特許文献１，２参照）。
【０００４】
特許文献１に記載の消毒実績把握システムでは、消毒用ポンプ付き容器（消毒用ボトル）が、吐出操作を検知する吐出操作検知手段と、吐出操作の検知に基づいて、消毒用ボトルの周囲にいる被管理者（医療従事者）が携帯しているネームプレート（通信部、制御マイコン、記憶媒体を内蔵する）に対して吐出完了信号を送信する吐出完了信号送信手段とを備える。また、ネームプレートが、被管理者による消毒実績の情報が記憶される記憶媒体と、受信した吐出完了信号に基づいて消毒実績の情報を更新する更新手段とを備える。
【０００５】
特許文献２に記載の院内手洗い管理システムでは、押圧することによりポンプ機構により吐出ノズルから消毒用アルコールを吐出させるノズルヘッドを備えた消毒用アルコールボトル（消毒用ボトル）に対し、ノズルヘッドに対する押圧力を検知する圧力センサと、圧力センサが検知した押圧値を自身の通信機ＩＤと共に送信する通信機とを含む手洗い管理装置を装着し、当該手洗い管理装置を装着した消毒用ボトルを院内の所定の場所に配置するとともに、手洗い管理装置付き消毒用ボトルの通信機と通信可能な範囲に中継機を設置する。また、個人ＩＤを一定の時間間隔で送信する個人ＩＤ送信機を医療従事者に携帯させる。中継機は、個人ＩＤと通信機ＩＤと押圧値とを手洗い管理装置の通信機より受信して、これらの情報を中継機固有の中継機ＩＤと共に院内サーバに送信する。院内サーバは、中継機から受信した個人ＩＤおよび押圧値と、院内サーバが有する個人情報および予め定めておいた押圧設定値とをそれぞれ比較し、個人別にノズルヘッドがプッシュされていない、プッシュされたが不十分、または十分にプッシュされたことを判断する。また、中継機ＩＤと院内サーバが内部に持っている中継機の位置情報とを比較して、医療従事者の場所を特定する。そして、院内サーバは、それらの結果を記録装置に記録させる。
【先行技術文献】
【特許文献】
【０００６】
【特許文献１】特開２００７−６１１５７号公報
【特許文献２】特許第６２５９９４０公報
【発明の概要】
【発明が解決しようとする課題】
【０００７】
上記特許文献２に記載の技術によれば、医療従事者によって手指衛生が行われたか否かのみならず、ノズルヘッドのプッシュが十分か否か（つまり、消毒用アルコールの吐出量が十分か否か）まで管理することが可能である。これに対し、手指衛生の実施回数が十分か否かを管理することも求められている。
【０００８】
このような要求に対し、上記特許文献１，２に記載のシステムにおいて、消毒用ボトルの吐出操作が検出された回数をカウントすれば、医療従事者が手指衛生を行った回数を把握することが可能である。しかしながら、消毒用ボトルの吐出操作を単純にカウントすると、手指衛生の実施回数を必ずしも正確に把握することができない場合があるという問題があった。医療従事者が複数回に分けてノズルヘッドを少しずつプッシュ操作したり、プッシュ操作が意図せず不十分であったときに操作し直したり、消毒液の残量が少ないときにプッシュ操作を複数回行ったりする場合もあるからである。
【０００９】
本発明は、このような問題を解決するために成されたものであり、医療従事者によって手指衛生が行われた回数をより正確に把握することができるようにすることを目的とする。
【課題を解決するための手段】
【００１０】
上記した課題を解決するために、本発明では、消毒液を吐出する消毒用容器に設けられた吐出操作検出装置から中継装置を介して管理装置に送信される情報と、医療従事者により携帯された無線送信装置から定期的に中継装置を介して管理装置に送信される情報のうち、同じ中継装置ＩＤと共に所定の微小時間以内に受信される操作実行情報、検出装置ＩＤおよび医療従事者ＩＤに基づいて、消毒用容器を操作した医療従事者を特定した上で、医療従事者ごとに手指衛生の実行回数を測定する。そして、この実行回数の測定の際に、同じ医療従事者による消毒用容器の操作が所定時間以内に複数回検出された場合に、当該所定時間以内の複数回の操作を手指衛生の１回の実行とみなして実行回数を測定するようにしている。
【発明の効果】
【００１１】
上記のように構成した本発明によれば、同じ医療従事者による消毒用容器の操作が複数回検出されたとしても、その複数回の操作が所定時間以内に行われたものである場合には、１人の医療従事者が１回の手指衛生において吐出操作を複数回に分けて行った蓋然性が高いものとして、手指衛生の実行回数が測定される。これにより、本発明によれば、医療従事者によって手指衛生が行われた回数をより正確に把握することができる。
【図面の簡単な説明】
【００１２】
【図１】本実施形態による手指衛生管理システムが備える各装置およびそれらの設置場所の一例を示す図である。
【図２】本実施形態による管理装置の機能構成例を示すブロック図である。
【図３】本実施形態の受信情報記憶部に記憶される受信情報の一例を示す図である。
【図４】本実施形態の受信情報記憶部に記憶される受信情報の一例を示す図である。
【発明を実施するための形態】
【００１３】
以下、本発明の一実施形態を図面に基づいて説明する。図１は、本実施形態による手指衛生管理システムが備える各装置およびそれらの設置場所の一例を示す図である。なお、以下の実施形態では、手指衛生管理システムを適用する施設が病院であるものとして説明するが、介護施設など、手指衛生の励行が推奨される施設には何れにも適用することが可能である。
【００１４】
図１に示すように、本実施形態による手指衛生管理システムは、消毒液を吐出する消毒用ボトル１０（特許請求の範囲の消毒用容器に相当。図１では簡易的に「ボ」と表記している）に設けられた吐出操作検出装置１００と、医療従事者により携帯される無線送信装置２００と、病院内の各場所に設置される中継装置３００（図１では簡易的に「中」と表記している）と、中継装置３００に通信ネットワークを介して接続された管理装置４００とを備えて構成される。
【００１５】
図１に示すように、消毒用ボトル１０は、例えば病院内の各病室Ｒ１，Ｒ２，Ｒ３内に設置される。消毒用ボトル１０が設置される病室Ｒ１，Ｒ２，Ｒ３内の位置は、例えば出入口の近傍である。あるいは、病室内のベッド近傍の位置であってもよい。なお、消毒用ボトル１０が設置される位置は、各病室Ｒ１，Ｒ２，Ｒ３の出入口近傍で病室外（廊下ＣＲ）の位置であってもよい。
【００１６】
消毒用ボトル１０が病室Ｒ１，Ｒ２，Ｒ３内に設置される場合、医療従事者は、病室Ｒ１，Ｒ２，Ｒ３内に入室した直後に手指衛生を実行するとともに、業務終了後に病室Ｒ１，Ｒ２，Ｒ３から退室する直前に再度手指衛生を実行することになる。一方、消毒用ボトル１０が病室Ｒ１，Ｒ２，Ｒ３の出入口近傍の廊下ＣＲに設置される場合、医療従事者は、病室Ｒ１，Ｒ２，Ｒ３内に入室する直前に手指衛生を実行するとともに、業務終了後に病室Ｒ１，Ｒ２，Ｒ３から退室した直後に再度手指衛生を実行することになる。
【００１７】
なお、消毒用ボトル１０は、図１のように病室Ｒ１，Ｒ２，Ｒ３に設置される据置型の他に、医療従事者により所持される携帯型が存在する。携帯型の消毒用ボトル１０を所持している医療従事者も、基本的には、病室Ｒ１，Ｒ２，Ｒ３内に入室した直後（または入室する直前）に手指衛生を実行するとともに、業務終了後に病室Ｒ１，Ｒ２，Ｒ３から退室する直前（または退室した直後）に再度手指衛生を実行する。
【００１８】
図１に示すように、消毒用ボトル１０は、ポンプ式のボトルであり、上部のノズルヘッドを下方に押下することにより、ボトル内の消毒液が一定量吐出されるようになっている。このノズルヘッドに吐出操作検出装置１００が装着されている。吐出操作検出装置１００は、圧力センサを備えており、消毒用ボトル１０に対する吐出操作（ノズルヘッドの押下操作）が行われたことを検出する。これは、据置型の消毒用ボトル１０および携帯型の消毒用ボトル１０の何れについても同様である。
【００１９】
吐出操作検出装置１００は、無線送信回路を備えており、消毒用ボトル１０に対する吐出操作が圧力センサにより検出されると、吐出操作が実行されたことを示す操作実行情報を、自身の識別情報である検出装置ＩＤと共に無線で送信する。検出装置ＩＤは、吐出操作検出装置１００に固有の識別情報であり、内部メモリにあらかじめ記憶されている。
【００２０】
据置型の消毒用ボトル１０に装着された吐出操作検出装置１００から送信された操作実行情報および検出装置ＩＤは、当該据置型の消毒用ボトル１０と同じスペース内に設置されている中継装置３００にて受信される。また、携帯型の消毒用ボトル１０に装着された吐出操作検出装置１００から送信された操作実行情報および検出装置ＩＤは、医療従事者が存在している位置の周囲にある中継装置３００にて受信される。
【００２１】
医療従事者により携帯される無線送信装置２００は、医療従事者の識別情報である医療従事者ＩＤを所定のインターバルを置いて定期的に送信する。例えば、無線送信装置２００は、２００ミリ秒という微小時間間隔で医療従事者ＩＤを送信する。医療従事者ＩＤは、医療従事者に固有の識別情報であり、無線送信装置２００の内部メモリにあらかじめ記憶されている。無線送信装置２００により送信された医療従事者ＩＤは、医療従事者が存在している位置の周囲にある中継装置３００にて受信される。
【００２２】
中継装置３００は、据置型の消毒用ボトル１０と同じスペースである各病室Ｒ１，Ｒ２，Ｒ３内に設置されるほか、据置型の消毒用ボトル１０とは異なるスペースにも設置される。据置型の消毒用ボトル１０とは異なるスペースとは、各病室Ｒ１，Ｒ２，Ｒ３以外の場所を意味し、図１の例では廊下ＣＲである。
【００２３】
中継装置３００は、消毒用ボトル１０の吐出操作検出装置１００から操作実行情報および検出装置ＩＤを受信するとともに、無線送信装置２００から医療従事者ＩＤを受信し、通信ネットワークを介して接続された管理装置４００に対して、受信した情報を自身の識別情報である中継装置ＩＤと共に送信する。中継装置ＩＤは、中継装置３００に固有の識別情報であり、内部メモリにあらかじめ記憶されている。
【００２４】
ここで、中継装置３００は、吐出操作検出装置１００から操作実行情報および検出装置ＩＤを受信する際の受信電波に基づいて、吐出操作検出装置１００の中継装置３００からの相対位置を特定する。例えば、中継装置３００は、ＡｏＡ（Angle of Arrival）方式により電波が到来する方向を検出する公知技術を用いて吐出操作検出装置１００の相対方向を特定するとともに、受信電波強度に基づいて電波発信源までの距離を検出する公知技術を用いて吐出操作検出装置１００までの相対距離を特定することにより、吐出操作検出装置１００の中継装置３００からの相対位置を特定する。そして、中継装置３００は、当該特定した吐出操作検出装置１００の相対位置情報を操作実行情報、検出装置ＩＤおよび中継装置ＩＤと共に管理装置４００に送信する。
【００２５】
また、中継装置３００は、無線送信装置２００から医療従事者ＩＤを受信する際の受信電波に基づいて、上記と同様にして無線送信装置２００の相対位置を特定する。そして、中継装置３００は、当該特定した無線送信装置２００の相対位置情報を医療従事者ＩＤおよび中継装置ＩＤと共に管理装置４００に送信する。
【００２６】
管理装置４００は、中継装置３００から同じ中継装置ＩＤと共に所定の微小時間（２００ミリ秒）以内に受信される操作実行情報、検出装置ＩＤ、医療従事者ＩＤ、吐出操作検出装置１００の相対位置情報および無線送信装置２００の相対位置情報に基づいて、消毒用ボトル１０を操作した医療従事者を特定した上で、医療従事者による手指衛生の実行状況に関する管理を行う。例えば、管理装置４００は、どの医療従事者が手指衛生を何回実行しているかを測定する処理を行う。なお、この処理の詳細については、図２を用いて説明する。
【００２７】
上述のように、無線送信装置２００は、医療従事者ＩＤを２００ミリ秒おきに常に送信している。そのため、中継装置３００は、吐出操作検出装置１００から操作実行情報および検出装置ＩＤを受信したときに、それとほぼ同タイミング（多くとも２００ミリ秒以内の時間ずれの範囲内）で、無線送信装置２００から医療従事者ＩＤも受信することになる。これにより、管理装置４００では、吐出操作検出装置１００からの情報および無線送信装置２００からの情報（それぞれ中継装置３００で付加された情報を含む）を中継装置３００からほぼ同タイミングで受信することとなり、これらの情報から手指衛生を実行した医療従事者を特定することが可能である。
【００２８】
一方、中継装置３００が無線送信装置２００から医療従事者ＩＤを受信したにもかかわらず、それから所定の微小時間以内に吐出操作検出装置１００から操作実行情報および検出装置ＩＤを受信しなかった場合は、管理装置４００では、所定の微小時間以内に無線送信装置２００からの情報（中継装置３００で付加された情報を含む）のみを中継装置３００から受信することとなる。よって、この場合に管理装置４００は、その微小時間以内のタイミングでは医療従事者が手指衛生を実行していないと判定することが可能である。
【００２９】
ここで、ある中継装置ＩＤと共に受信された操作実行情報および検出装置ＩＤに基づき検出された消毒用ボトル１０の操作の時点から所定の微小時間以内に、同じ中継装置ＩＤと共に受信された医療従事者ＩＤが１つの場合は、その中継装置ＩＤで示される中継装置３００の付近には医療従事者が１人しかいない状況に相当する。従って、この場合は、操作実行情報、検出装置ＩＤおよび医療従事者ＩＤの３つの情報があれば、消毒用ボトル１０を操作した医療従事者を一意に特定することが可能である。すなわち、検出装置ＩＤで示される吐出操作検出装置１００が装着された消毒用ボトル１０を、医療従事者ＩＤで示される医療従事者が操作したと判定することが可能である。
【００３０】
これに対し、ある中継装置ＩＤと共に受信された操作実行情報および検出装置ＩＤに基づき検出された消毒用ボトル１０の操作の時点から所定の微小時間以内に、同じ中継装置ＩＤと共に受信された医療従事者ＩＤが複数ある場合は、その中継装置ＩＤで示される中継装置３００の付近には複数人の医療従事者がいる状況に相当する。従って、この場合は、操作実行情報、検出装置ＩＤおよび医療従事者ＩＤの３つの情報だけでは、消毒用ボトル１０を操作した医療従事者を一意に特定することができない。
【００３１】
この場合に管理装置４００は、中継装置３００から同じ中継装置ＩＤと共に所定の微小時間以内に受信される操作実行情報、検出装置ＩＤ、医療従事者ＩＤ、吐出操作検出装置１００の相対位置情報および無線送信装置２００の相対位置情報に基づいて、消毒用ボトル１０を操作した医療従事者を特定する。すなわち、管理装置４００は、複数の医療従事者ＩＤと共に送信された無線送信装置２００の相対位置情報のそれぞれと、検出装置ＩＤと共に送信された吐出操作検出装置１００の相対位置情報とを用いて、消毒用ボトル１０から最も近くにいる医療従事者を特定する。そして、管理装置４００は、消毒用ボトル１０から最も近くにいる医療従事者を、消毒用ボトル１０を操作した医療従事者として特定する。
【００３２】
図２は、管理装置４００の機能構成例を示すブロック図である。図２に示すように、管理装置４００は、記憶媒体として、受信情報記憶部４０１および手指衛生管理情報記憶部４０２を備えている。また、管理装置４００は、機能構成として、通信部４１、実行回数測定部４２および情報記録部４３を備えている。
【００３３】
上記各機能ブロック４１〜４３は、ハードウェア、ＤＳＰ（Digital Signal Processor）、ソフトウェアの何れによっても構成することが可能である。例えばソフトウェアによって構成する場合、上記各機能ブロック４１〜４３は、実際にはコンピュータのＣＰＵ、ＲＡＭ、ＲＯＭなどを備えて構成され、ＲＡＭやＲＯＭに記憶されたプログラムが動作することによって実現される。なお、当該プログラムは、ハードディスクや半導体メモリ等の他の記録媒体に記憶されていてもよい。
【００３４】
通信部４１は、中継装置３００から送信された情報を受信する。具体的には、通信部４１は、消毒用ボトル１０の吐出操作検出装置１００における吐出操作の検出時に吐出操作検出装置１００から送信された操作実行情報および検出装置ＩＤと、中継装置３００にて付加された中継装置ＩＤおよび吐出操作検出装置１００の相対位置情報とを受信する。また、通信部４１は、医療従事者の無線送信装置２００から定期的に送信された医療従事者ＩＤと、中継装置３００にて付加された中継装置ＩＤおよび無線送信装置２００の相対位置情報とを受信する。
【００３５】
通信部４１は、中継装置３００から情報を受信する都度、受信した情報を受信情報記憶部４０１に時系列に記憶させる。図３は、受信情報記憶部４０１に記憶される受信情報の一例を示す図である。受信情報記憶部４０１は、１つのレコードに１つの受信情報を記憶する。１つのレコードには、レコードＩＤ、受信時刻、中継装置ＩＤ、操作実行情報、検出装置ＩＤ、医療従事者ＩＤ、吐出操作検出装置１００の相対位置情報および無線送信装置２００の相対位置情報が項目として含まれている。
【００３６】
なお、図３では説明を簡便にするため、病室Ｒ１の中継装置３００（中継装置ＩＤ＝Ｍ００１）から送信された情報のみを示している。また、無線送信装置２００が２００ミリ秒ごとに医療従事者ＩＤを送信しているので、実際には通信部４１が２００ミリ秒ごとに情報を受信し、受信情報を記録するレコードが受信情報記憶部４０１に２００ミリ秒ごとに追加されていくが、ここでは簡略化して１秒ごとの受信情報を示している。
【００３７】
通信部４１が中継装置３００から吐出操作検出装置１００に関する情報を受信した場合、受信情報記憶部４０１に１つのレコードが追加され、当該追加されたレコードにレコードＩＤ、受信時刻、中継装置ＩＤ、操作実行情報、検出装置ＩＤおよび吐出操作検出装置１００の相対位置情報が記録される（レコードＩＤ＝Ｒ２，Ｒ２４）。このレコードには、医療従事者ＩＤおよび無線送信装置２００の相対位置情報は記録されない。上述したように、レコードＲ２，Ｒ２４の受信情報は、消毒用ボトル１０の吐出操作検出装置１００において吐出操作が検出された時点で吐出操作検出装置１００から中継装置３００を介して送信された情報である。
【００３８】
また、通信部４１が中継装置３００から無線送信装置２００に関する情報を受信した場合、受信情報記憶部４０１に１つのレコードが追加され、当該追加されたレコードにレコードＩＤ、受信時刻、中継装置ＩＤ、医療従事者ＩＤおよび無線送信装置２００の相対位置情報が記録される（レコードＩＤ＝Ｒ１，Ｒ３〜Ｒ２３，Ｒ２５〜）。これらのレコードには、操作実行情報、検出装置ＩＤおよび吐出操作検出装置１００の相対位置情報は記録されない。上述したように、これらのレコードＲ１，Ｒ３〜Ｒ２３，Ｒ２５〜の受信情報は、医療従事者の無線送信装置２００から中継装置３００を介して定期的に送信される情報である。
【００３９】
実行回数測定部４２は、受信情報記憶部４０１に記憶された情報に基づいて、中継装置３００から同じ中継装置ＩＤと共に所定の微小時間以内に受信される操作実行情報、検出装置ＩＤ、医療従事者ＩＤ、吐出操作検出装置１００の相対位置情報および無線送信装置２００の相対位置情報に基づいて、消毒用ボトル１０を操作した医療従事者を特定した上で、医療従事者ごとに手指衛生の実行回数を測定する。
【００４０】
例えば、図３に示した受信情報記憶部４０１の記憶例において、レコードＲ２，Ｒ３の受信情報は、同じ時刻に（実際は、２００ミリ秒という所定の微小時間以内。以下、図３の説明において同様）同じ中継装置ＩＤの中継装置３００から受信したものであり、レコードＲ２は吐出操作検出装置１００からの情報、レコードＲ３は無線送信装置２００からの情報である。これは、レコードＲ２に含まれる検出装置ＩＤで示される吐出操作検出装置１００により消毒用ボトル１０の吐出操作が検出されて操作実行情報が中継装置３００に送信されたときに、レコードＲ３に含まれる医療従事者ＩＤで示される医療従事者が所持する無線送信装置２００から同じ中継装置３００に当該医療従事者ＩＤが送信されたことを示している。
【００４１】
ここで、レコードＲ２に含まれる操作実行情報が受信された時刻と同じ時刻に受信されている医療従事者ＩＤは、レコードＲ３の１つのみである。よって、実行回数測定部４２は、レコードＲ２，Ｒ３に記録されている検出装置ＩＤおよび医療従事者ＩＤに基づいて、手指衛生を実行した医療従事者を特定することが可能である。
【００４２】
なお、レコードＲ２に含まれる操作実行情報が受信された時刻と同じ時刻に受信されている医療従事者ＩＤの数が複数ある場合（例えば、図４のように、レコードＲ２と同じ時刻を示す２つのレコードＲ３，Ｒ４に異なる医療従事者ＩＤが記録されているような場合）、実行回数測定部４２は、レコードＲ２〜Ｒ４に含まれる操作実行情報、検出装置ＩＤ、医療従事者ＩＤ、吐出操作検出装置１００の相対位置情報および無線送信装置２００の相対位置情報に基づいて、消毒用ボトル１０を操作した医療従事者を特定する。特に、実行回数測定部４２は、吐出操作検出装置１００の相対位置情報および無線送信装置２００の相対位置情報に基づいて、消毒用ボトル１０から最も近くにいる医療従事者を特定し、その医療従事者を消毒用ボトル１０の操作者として特定する。
【００４３】
実行回数測定部４２は、レコードＲ２４，Ｒ２５についても以上と同様の処理を行うことにより、手指衛生を実行した医療従事者を特定する。さらに、実行回数測定部４２は、レコードＲ２５より後に記録されている他のレコード（図示せず）についても同様の処理を行うことにより、操作実行情報が記録されているレコードごとに、手指衛生を実行した医療従事者を特定する。そして、実行回数測定部４２は、以上のようにして特定した結果に基づいて、手指衛生の実行回数を医療従事者ごとに集計する。
【００４４】
なお、レコードに記録されている消毒用ボトル１０の検出装置ＩＤが、携帯型の消毒用ボトル１０に装着された吐出操作検出装置１００のものである場合、実行回数測定部４２は、その消毒用ボトル１０を所持している医療従事者を消毒用ボトル１０の操作者として特定する。携帯型の消毒用ボトル１０に装着される吐出操作検出装置１００の検出装置ＩＤと、その消毒用ボトル１０を所持する医療従事者の医療従事者ＩＤとを関連付けて登録したデータベースがあらかじめ記憶されている。実行回数測定部４２は、このデータベースを参照することにより、携帯型の消毒用ボトル１０に対する操作か否かを判定し、そうである場合には、その消毒用ボトル１０を所持している医療従事者を消毒用ボトル１０の操作者として特定した上で、手指衛生の実行回数を集計する。
【００４５】
手指衛生の実行回数の集計の際に、実行回数測定部４２は、同じ医療従事者による消毒用ボトル１０の操作が所定時間（例えば、３０秒）以内に複数回検出された場合に、当該所定時間以内の複数回の操作を手指衛生の１回の実行とみなして実行回数を測定する。３０秒という所定時間は、医療従事者が複数回に分けて消毒用ボトル１０を操作して消毒液を少しずつ使用する場合があり得ることを想定して設定した時間である。すなわち、１回目に吐出させた消毒液を手に刷り込んだ後、２回目に吐出させた消毒液を更に手に刷り込んでいくという習慣を持った医療従事者が存在し得る。このような医療従事者の行動を想定し、１回目の吐出操作から２回目の吐出操作が行われるまでの時間として想定される時間に対して一定のマージンを持たせた時間を所定時間として設定している。
【００４６】
図３に示す受信情報の例において、レコードＲ２，Ｒ３の記録情報から消毒用ボトル１０の操作者として特定された医療従事者（医療従事者ＩＤ＝Ｓ００７）と、レコードＲ２４，Ｒ２５の記録情報から消毒用ボトル１０の操作者として特定された医療従事者（医療従事者ＩＤ＝Ｓ００７）とは同じであり、かつ、２回目の消毒用ボトル１０の操作が１回目の消毒用ボトル１０の操作から２１秒後、つまり所定時間以内に行われている。よって、この場合に実行回数測定部４２は、レコードＲ３，Ｒ２５に含まれている医療従事者ＩＤの医療従事者が手指衛生を２回実行したとして実行回数を集計するのではなく、１回の実行とみなして手指衛生の実行回数を集計する。
【００４７】
すなわち、図３に示す受信情報の例は、同じ医療従事者が同じ消毒用ボトル１０を所定時間以内に２回操作したことを意味しているが、これは、医療従事者が意図的に複数回に分けて消毒用ボトル１０のノズルヘッドを少しずつプッシュ操作した蓋然性が高いと考えられる。よって、この場合に実行回数測定部４２は、受信情報記憶部４０１に所定時間以内の情報として記録されている同じ医療従事者による同じ消毒用ボトル１０に対する２回の操作実行情報を手指衛生の１回の実行とみなして実行回数を測定する。
【００４８】
なお、消毒用ボトル１０のノズルヘッドのプッシュ操作が意図せず不十分であったために消毒液の吐出量が少なかった場合や、消毒液の残量が少ないために、ノズルヘッドの操作量が十分であっても吐出される消毒液の量が少なくなってしまう場合もある。このような場合に、医療従事者が消毒用ボトル１０を連続して複数回操作することもある。このような場合にも、実行回数測定部４２は、受信情報記憶部４０１に所定時間以内の情報として記録されている同じ医療従事者による同じ消毒用ボトル１０に対する２回の操作実行情報を手指衛生の１回の実行とみなして実行回数を測定することが可能である。
【００４９】
一方、実行回数測定部４２は、同じ医療従事者による消毒用ボトル１０の操作が所定時間を超えて２回検出された場合には、当該所定時間を超えた２回の操作を、同じ医療従事者による手指衛生の２回の実行とみなして、医療従事者による手指衛生の実行回数を測定する。ここで、実行回数測定部４２は、２つのレコードに記録されている情報により示される同じ医療従事者による２回の消毒用ボトル１０の操作が同じ中継装置ＩＤに紐付いている場合は、それにより特定される手指衛生の２回の実行を、その中継装置ＩＤで示される中継装置３００が設置されている病室に対する同じ医療従事者の入室時における手指衛生の実行および退室時における手指衛生の実行として、医療従事者による手指衛生の実行回数を測定するようにしてもよい。
【００５０】
情報記録部４３は、実行回数測定部４２により手指衛生の実行者として特定された医療従事者を、実行時刻、実行場所に関する情報と共に履歴情報として手指衛生管理情報記憶部４０２に記憶させる。このとき、情報記録部４３は、吐出操作が検出された吐出操作検出装置１００の検出装置ＩＤが記録されているレコードの中で、受信時刻を手指衛生の実行時刻として用いるとともに、中継装置ＩＤに対応する中継装置３００の設置場所を手指衛生の実行場所として用いる。
【００５１】
また、情報記録部４３は、実行回数測定部４２により医療従事者ごとに測定された手指衛生の実行回数を手指衛生管理情報記憶部４０２に記憶させる。ここで、情報記録部４３は、病室への入室時における手指衛生の実行回数と、病室からの退室時における手指衛生の実行回数とを分けて記憶させるようにしてもよい。
【００５２】
以上詳しく説明したように、本実施形態では、同じ中継装置ＩＤと共に所定の微小時間以内に受信される操作実行情報、検出装置ＩＤ、医療従事者ＩＤ、吐出操作検出装置１００の相対位情報および無線送信装置２００の相対位置情報に基づいて、消毒用ボトル１０を操作した医療従事者を特定した上で、医療従事者ごとに手指衛生の実行回数を測定する。そして、この実行回数の測定の際に、同じ医療従事者による消毒用ボトル１０の操作が所定時間以内に複数回検出された場合に、当該所定時間以内の複数回の操作を手指衛生の１回の実行とみなして実行回数を測定するようにしている。
【００５３】
このように構成した本実施形態によれば、同じ医療従事者による消毒用ボトル１０の操作が複数回検出されたとしても、その複数回の操作が所定時間以内に行われたものである場合には、１人の医療従事者が１回の手指衛生において吐出操作を複数回に分けて行った蓋然性が高いものとして、手指衛生の実行回数が測定される。これにより、本実施形態によれば、医療従事者によって手指衛生が行われた回数をより正確に把握することができる。
【００５４】
なお、上記実施形態では、実行回数測定部４２が医療従事者による手指衛生の実行回数を測定する例について説明したが、これに加えて、手指衛生の非実行回数を測定するようにしてもよい。手指衛生の実行回数と共に非実行回数を測定し、その結果を手指衛生管理情報記憶部４０２に記憶させることにより、手指衛生の実行の遵守率を医療従事者ごとに把握することが可能となる。なお、手指衛生の非実行回数は、例えば以下のようにして測定することが可能である。
【００５５】
すなわち、受信情報記憶部４０１に記憶された受信情報に基づいて、医療従事者ＩＤと共に記録されている中継装置ＩＤの変遷をたどることにより、医療従事者の動線を特定することが可能である。すなわち、病室Ｒ１，Ｒ２，Ｒ３に設置されている中継装置３００の中継装置ＩＤと共に医療従事者ＩＤが記録されているレコードの情報から、医療従事者が病室Ｒ１，Ｒ２，Ｒ３内に入室したことを特定することが可能である。また、その医療従事者が病室Ｒ１，Ｒ２，Ｒ３から退室したこと（中継装置ＩＤの変化から別の場所に移動したこと）も特定することが可能である。そして、１つの病室に対する入室から退室までの間に消毒用ボトル１０の操作が検出されない場合（検出装置ＩＤが記録されたレコードが存在しない場合）や、消毒用ボトル１０の操作が検出された場合でもそれが他の医療従事者による操作であることが検出された場合には、医療従事者による手指衛生が行われなかったと判定することができる。実行回数測定部４２は、このようにして判定される手指衛生の非実行の回数を集計することが可能である。
【００５６】
また、病室への入室時における手指衛生の実行回数と、病室からの退室時における手指衛生の実行回数とを分けて測定するようにした場合において、病室への入室回数および退室回数も測定し、これらの情報を手指衛生管理情報記憶部４０２に記憶させるようにしてもよい。病室への入室回数および退室回数も、上述した医療従事者の動線の検出によって測定することが可能である。このように構成した場合、手指衛生の実行の遵守率を医療従事者ごとかつ病室への入室／退室ごとに把握することが可能となる。
【００５７】
また、上記実施形態では、無線送信装置２００の中継装置３００からの相対位置を、無線送信装置２００からの受信電波に基づいて特定する構成について説明したが、本発明はこれに限定されない。すなわち、消毒用ボトル１０の設置場所が固定的に決まっている場合は、無線送信装置２００の相対位置情報を中継装置３００または管理装置４００にあらかじめ登録して記憶しておくようにしてもよい。
【００５８】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００５９】
４１  通信部
４２  実行回数測定部
４３  情報記録部
１００  吐出操作検出装置
２００  無線送信装置
３００  中継装置
４００  管理装置
４０１  受信情報記憶部
４０２  手指衛生管理情報記憶部
【図１】
2020071609.tif 000003
【図２】
2020071609.tif 000004
【図３】
2020071609.tif 000005
【図４】
2020071609.tif 000006